(57)【要約】  本発明の防犯装置は、ケーブルを含み、可調整ループを形成する保持部材と、ケーブルに接続され、ループを狭める動作及びループの拡張を抑える動作が可能なラチェット部材とを備え、該ラチェット部材が、第１平面内に延在すると共に該第１平面から隆起する鋸歯状プロファイルを有するギヤリングを備える第１主要部と、第１主要部に対して回転自在であり、第１平面側に付勢されギヤリングと係合するラッチ部材とケーブルを巻き上げるドラムとを含む第２主要部とを備える。【選択図】  図１
2009541614.tif 000002
【特許請求の範囲】
【請求項１】
ケーブル（１００、１５０）を含み、可調整ループを形成する保持部材と、
前記ケーブル（１００、１５０）に接続され、前記ループを狭める動作及び前記ループの拡張を抑える動作が可能なラチェット部材（２００）とを備え、
前記ラチェット部材（２００）が、
第１平面内に延在すると共に前記第１平面から隆起する鋸歯状プロファイルを有するギヤリング（２５０）を備える第１主要部と、
前記第１主要部に対して回転自在であり、前記第１平面側に付勢され前記ギヤリング（２５０）と係合するラッチ部材（２３０、２３５）と、前記ケーブル（１００、１５０）を巻き上げるドラム（２７０）とを含む第２主要部と
を含む、防犯装置（１０）。
【請求項２】
前記第２主要部が、前記第１平面と平行な第２平面内において離間配置された２つのラッチ部材（２３０、２３５）を備える、請求項１に記載の防犯装置。
【請求項３】
前記第２主要部が、前記ギヤリング（２５０）の上側で径方向に離間配置された２つのラッチ部材（２３０、２３５）を備える、請求項１に記載の防犯装置。
【請求項４】
前記第２主要部が、前記第１平面側に付勢されて前記ギヤリング（２５０）と係合すると共に前記ギヤリング（２５０）から個別に取り外し可能な２つのラッチ部材（２３０、２３５）を備える、請求項１に記載の防犯装置。
【請求項５】
前記ラッチ部材（２３０、２３５）が、前記第１平面と垂直な方向における前記ラッチ部材（２３０、２３５）の磁気吸着によって、前記ギヤリング（２５０）から取り外せるように構成されている、請求項１に記載の防犯装置。
【請求項６】
前記第２主要部に接続されており、前記ギヤリング（２５０）に対面し前記ラッチ部材（２３０、２３５）を担持する内面と、前記ギヤリング（２５０）から前記ラッチ部材を取り外すツール用のインターフェースを担持する外面とを有する操作手段（２２０）を備える、請求項１に記載の防犯装置。
【請求項７】
前記操作手段（２２０）が、離間する２つのラッチ部材（２３０、２３５）と、前記ツールの補助グリップ部に接続するための前記ラッチ部材（２３０、２３５）の間の中央グリップ部（２２５）とを担持する、請求項６に記載の防犯装置。
【請求項８】
前記ラッチ部材（２３０、２３５）が、そのままの状態で前記ギヤリング（２５０）に係合する先端部（２３３、２３８）を有する磁気吸着可能な板ばねを備える、請求項１に記載の防犯装置。
【請求項９】
前記ラッチ部材（２３０、２３５）が、前記第１平面と平行な第２平面内に配置された磁気吸着可能な金属シートを備え、前記シートには、前記第２平面から前記第１平面に向かって曲げられた板ばねが形成されるようにして略Ｕ字状スロットが形成されている、請求項１に記載の防犯装置。
【請求項１０】
前記板ばねが、前記鋸歯状プロファイルが環状に延在しているのに従うようにして前記第２平面内において湾曲している、請求項９に記載の防犯装置。
【請求項１１】
前記保持部材が、２本のケーブル（１００、１５０）と、前記ラチェット部材（２００）から離れて前記２本のケーブルに接続される支持部材（３００）とを含む、請求項１に記載の防犯装置。
【請求項１２】
前記ケーブル（１００、１５０）が、共に前記ドラム（２７０）に接続された２つの端部の間に延びている、請求項１に記載の防犯装置。
【請求項１３】
前記保持部材が、前記ラチェット部材（２００）から離間して前記ケーブルに接続され、前記防犯装置（１０）に保持された際に物品と対向する面にゴム状材料の層（３１０）が設けられた支持部材（３００）を含む、請求項１に記載の防犯装置。
【請求項１４】
前記防犯装置（１０）に保持された際に物品と対向する前記ラチェット部材（２００）の面に、ゴム状材料の層が設けられている、請求項１に記載の防犯装置。
【請求項１５】
前記ラチェット部材（２００）が、前記ケーブルに接続され、前記ケーブルが切断されたときにアラームを鳴らすように構成されたアラーム回路（２６０）を備える、請求項１に記載の防犯装置。
【請求項１６】
電子物品監視（ＥＡＳ）タグを備える、請求項１に記載の防犯装置。
【発明の詳細な説明】
【発明の分野】
【０００１】
本発明は、物品ないし商品を守るための装置に関する。特に、本発明は、ケーブルが物品に巻き付けられ、上記物品の周りのケーブルを締め付けるラチェット部材を含む、調整可能な装置に関する。
【発明の背景】
【０００２】
物品の盗難および不正開封は、小売店にとっては常に脅威である。今日、物品を収容するボックスが権限のない者によって開けられボックスの中身が抜き取られるのを防ぐことは非常に困難である。物品を保護する際、費用や魅力的な見た目（すなわち、消費者はパッケージを購入する前に、パッケージの中身が確認できることを望んでいる）と同時にセキュリティグレードのバランスを取らなければならない。物品を保護すると同時に中身を展示するために、ロックすることができる透明ボックスといった多くの解決策を利用できることがよく知られている。この解決策は、パッケージやボックスが権限のない者によって開封されるのを防ぐ手段を提供している。しかし、この解決策は、透明ボックスが特定の物品に適した特定の寸法を有することが求められ、場合によっては、特異な寸法の物品には特製のボックスかスペースの無駄につながる過大寸法のボックスが必要となる。したがって、物品を守って物品の異なるサイズにも調整可能な可調整装置が待望されている。
【０００３】
米国特許第５，７２２，２６６号は、ボックスまたは類似物の６面全部を取り囲みかつロックする複数のワイヤまたはケーブルを含む防犯装置を開示している。ケーブルは、複数の歯を有する歯車および歯と係合する一方向爪を含むラチェット部材と、ベースにスナップフィットすると共にロックを解除するにはロック解除具を必要とするファスナを含みかつラチェット部材から離間したロック部材との間に延びる。該装置は、様々なサイズの保護対象の周りを締め付けるように調整可能である。しかし、該装置は構造および操作に関して複雑である。
【０００４】
したがって、本発明の目的は、構造および操作が単純であり、防犯装置を締め付けるのに別途のツールを必要としない防犯装置を提供することである。
【発明の概要】
【０００５】
したがって、本発明の全体的な目的は、ラチェット部材と保護対象の周りに配される１つ以上のケーブルとを含んだ防犯装置の簡素化された構造を提供することである。
【０００６】
本発明の防犯装置は、この目的を実現するため、ケーブルを含む可調整ループを形成する保持部材と、ケーブルに接続され、ループを狭める動作及びループの拡張を抑える動作が可能なラチェット部材とを備え、ラチェット部材が、第１平面内に延在すると共にその平面から隆起する鋸歯状プロファイルを有するギヤリングを備える第１主要部と、その第１主要部に対して回転自在であり、第１平面側に付勢されギヤリングと係合するラッチ部材とケーブルを巻き上げるドラムとを含む第２主要部とを備える。
【０００７】
さらに、防犯装置の第２主要部は、第１平面と平行な第２平面内に離間配置された２つのラッチ部材を備えることができる。
【０００８】
その上、防犯装置の第２主要部は、ギヤリングの上側で径方向に離間配置された２つのラッチ部材を備えることができる。
【０００９】
一実施形態では、防犯装置の第２主要部は、第１平面側に付勢されてギヤリングと係合すると共にギヤリングから個別に取り外し可能な２つのラッチ部材を備える。
【００１０】
さらに、防犯装置のラッチ部材は、第１平面と垂直な方向におけるラッチ部材の磁気吸着によって、ギヤリングから取り外せるように構成されている。
【００１１】
その上、防犯装置は、第２主要部に接続されており、ギヤリングに対面しラッチ部材を担持する内面と、ギヤリングからラッチ部材を取り外すツール用のインターフェースを担持する外面とを有する操作手段を備える。追加の実施形態では、防犯装置の操作手段は、離間する２つのラッチ部材と、ツールの補助グリップ部に接続するラッチ部材の間の中央グリップ部とを担持する。
【００１２】
防犯装置のラッチ部材は、そのままの状態でギヤリングと係合する先端部を有する磁気吸着可能な板ばねを備えることができる。
【００１３】
さらに、防犯装置のラッチ部材は、第１平面と平行な第２平面内に配置された磁気吸着可能な金属シートを備え、そのシートには、第２平面から第１平面に向かって曲げられた板ばねが形成されるようにして略Ｕ字状スロットが形成される。板ばねは、鋸歯状プロファイルが環状に延在しているのに従うようにして第２平面内において湾曲させることができる。
【００１４】
さらに、防犯装置の保持部材は、２本のケーブルと、ラチェット部材から離れて２本のケーブルに接続される支持部材とを含む。
【００１５】
その上、防犯装置のケーブルは、共にドラムに接続された２つの端部の間に延びている。
【００１６】
防犯装置の保持部材は、ラチェット部材から離間してケーブルに接続され、防犯装置に保持された際に物品と対向する面にゴム状材料の層が設けられた支持部材を含むことができる。
【００１７】
本発明の実施形態では、防犯装置に保持された際に物品と対向するラチェット部材の面に、ゴム状材料の層が設けられている。防犯装置のさらなる実施形態では、ラチェット部材は、ケーブルに接続され、そのケーブルが切断されたときにアラームを鳴らすように構成されたアラーム回路を備える。防犯装置はさらに電子物品監視（ＥＡＳ）タグを備えることができる。
【００１８】
本発明について、実施形態の例に関連して、添付の図面を参照しながら、以下でさらに詳しく説明する。
【図面の簡単な説明】
【００１９】
【図１】図１は、本発明の実施形態の分解斜視図である。
【図２】図２は、本発明の実施形態の異なる角度からの分解斜視図である。
【図３】図３は、本発明の実施形態の側面図である。
【図４】図４は、図３の線Ｂ−Ｂに沿って切った防犯装置の断面図である。
【図５】図５は、図３の線Ｂ−Ｂに沿って切った、ラッチ部材がロック状態でないときの防犯装置の断面図である。
【図６】図６は、図３の線Ａ−Ａに沿って切った防犯装置の断面図である。
【図７】図７は、図３の線Ｃ−Ｃに沿って切った防犯装置の断面図である。
【図８】図８は、本発明の実施形態の分解斜視図である。
【図９】図９は、本発明の実施形態に係る防犯装置で利用される脱着器を概略的に示す図である。
【図１０】図１０は、防犯装置のロックが解除されているときの本発明の実施形態に係る防犯装置と脱着器との係合を概略的に示す図である。
【本発明の実施形態の詳細な説明】
【００２０】
図１および２を参照すると、本発明の実施形態の分解図が示されており、防犯装置は一般的に１０で表わされる。防犯装置１０は、ラチェット部材２００、ラチェット部材２００に接続された保持部材１００、１５０、およびラチェット部材２００から離れて保持部材１００、１５０に接続された支持部材３００を備える。該防犯装置の主な目的は、保護対象の周りに保持部材１００、１５０を締め付けることである。保持部材は１つ以上の可調整ループを形成し、保護対象の周りで調整可能である１つ以上のケーブルを、図示する実施形態では特に２つのケーブル１００、１５０を備えることができる。ケーブルに接続され、ループを狭める動作及びループの拡張を抑える動作が可能である防犯装置のラチェット部材２００は、第１平面に延在すると共に第１平面から隆起する鋸歯状プロファイルを有するギヤリング２５０を備える第１主要部と、第１主要部に対して回転自在であり、第１平面側に付勢されギヤリング２５０と係合するラッチ部材２３０、２３５およびケーブルを巻き上げるためのドラム２７０を備える第２主要部とを備える。装置の第２主要部は、第１平面と平行な第２平面内に離間配置された２つのラッチ部材２３０、２３５を備えることができる。
【００２１】
本発明の実施形態では、２つのラッチ部材は、ギヤリング２５０の上で直径方向に間隔を置いて配置される。しかし、ラッチ部材の数のみならず、ラッチ部材間の間隔も、どの脱着器を使用するかによって変化する。
【００２２】
一実施形態では、２つのラッチ部材２３０、２３５が第１平面側に付勢されギヤリング２５０と係合すると共にギヤリング２５０から個別に取り外し可能である。さらに、防犯装置１０のラッチ部材２３０、２３５は、第１平面とは垂直方向の各ラッチ部材２３０、２３５の磁気吸着力によって、ギヤリング２５０から取り外せるように構成される。ラッチ部材をギヤリング２５０から解放するこの磁気吸着力は一般的に、万能脱着器若しくは同様のものによって生成される。
【００２３】
さらに、防犯装置１０は、第２主要部に接続されており、ギヤリング２５０に対面しラッチ部材２３０、２３５を担持する内面と、ギヤリングからラッチ部材を取り外すツール用のインターフェースを担持する外面とを有する操作部材２２０を備える。ツールは一般的に脱着器である。追加の実施形態では、防犯装置の操作部材２２０は、離間する２つのラッチ部材２３０、２３５と、ツールの補助グリップ部に接続するためのラッチ部材の間の中央グリップ部２２５とを担持する。グリップ部２２５は、操作部材２２０に陥没させるようにしてもよく、また、図示する実施形態のように操作部材２２０から突出させるようにしてもよい。
【００２４】
防犯装置１０のラッチ部材２３０、２３５は、そのままの状態でギヤリング２５０に係合する先端部２３３、２３８を有する舌片を有する磁気吸着可能な板ばねを備えることができる。ラッチ部材２３０、２３５の代替的実施形態は、磁力が防犯装置に印加されたときに、突出した静止状態から引っ込む弾性基部を有する細長い磁性ピンとすることができる。しかし、防犯装置の図示したラッチ部材２３０、２３５は、第１平面と平行な第２平面に配置された磁気吸着可能な金属シートを含み、シートには、第２平面から第１平面の方向に曲げられた板ばねが形成されるように略Ｕ字状スロットが形成される。本発明の実施形態では、ラッチ部材２３０、２３５がギヤリング２５０の歯と係合する部分を中心に合わせるために、板ばねは鋸歯状プロファイルが環状に延在しているのに従うようにして第２平面内において湾曲する。しかし、板ばねの製造を容易にするために、板ばねは矩形とすることができる。
【００２５】
防犯装置の保持部材１００、１５０が２つのケーブルを含む実施形態では、ケーブルは、ともに装置のドラム２７０に接続された２つの端部の間に延びる。
【００２６】
防犯装置は、ラチェット部材２００から離間してケーブル１００、１５０に接続され、防犯装置によって保持された際に物品と対面する面にゴム状材料３１０のような高摩擦材の層が設けられた支持部材３００を含むことができる。本発明の実施形態では、ゴム状材料の層は、防犯装置によって保持された際に物品と対面するラチェット部材２００の面にも設けられる。ゴム状材料の目的は、様々な部材が物品から引き外されるのを妨げるために、ラチェット／支持部材と物品との間の摩擦力を高めることである。
【００２７】
次に、図１〜７に示す実施形態についてより詳細に説明する。防犯装置のラチェット部材が、ケーブルを巻き上げそれによってケーブルを締め付けるように動作するように相互に対して回転自在である、第１主要部および第２主要部を備えている。ラチェット部材２００の第１主要部および第２主要部は両方とも、ロック可能とするために複数のサブユニットを備える。
【００２８】
第１主要部の主要部材はギヤリング２５０であり、第２主要部の主要部材は、ギヤリングとの相互作用のためにラッチ部材２３０、２３５がその上に固定されている操作部材２２０である。ラッチ部材は操作部材２２０の内面に確実に取り付けることが好ましく、操作部材２２０の外面にはグリップ部２２５が配置され、それを用いてユーザは物品の周りに防犯装置１０を締め付けることができる。操作性を向上し、かつ安全性を高めるために、操作部材２２０の外周上に配置された外側リング２１０のような外側ケーシングを設けることも好ましい。外側リング２１０は、ギヤリング２５０の外周に溶接または接着することが好ましく、それによって操作部材２２０はそのラッチ部材２３０、２３５と共に、ギヤリング２５０と外側リング２１０との間に固定される。代替的実施形態では、図８に示すように、第１部材もまた、第２主要部全体を実質的に密閉しかつケーブル用のアパーチャーを有する、ケーシング６００を含む。物体の周りでケーブルを締め付けるために防犯装置を操作するときに、片手を外側リング２１０またはケーシング６００に掛けながら、操作部材２２０を他方の手で回転させることができる。ケーブルが物体の周りに配置されるときに、実際は第１主要部を押さえ続ける必要は無く、把持可能な外側リング２１０またはケーシング６００は、締付けプロセスの安定性に関して操作性を向上させる。
【００２９】
ラッチ部材は、ギヤリング２５０に配列された歯と係合するように構成された突出舌片２３３、２３８を備える。本発明の一実施形態では、各ラッチ部材２３０、２３５は、舌片２３３、２３８を提供するために略Ｕ字状スロットが形成された、磁性鋼のような磁気的に吸着可能な弾性金属シートから構成される。舌片は、そのままの位置で、シートの主面からわずかに外に屈曲する。このように、舌片２３３、２３８は実質的に直線状であるかまたはシートの主面に対して鋭角に延びるかのいずれかとすることができ、若しくは、図４および５に示すように舌片の外側先端が主面から突出するように舌片を湾曲させることもできる。防犯装置１０が締め付けられるときに、舌片２３３、２３８はラチェット部材２００の第１主要部のギヤリング２５０の歯に沿って柔軟に従動し、それによって一方向に移動し、反対方向に回転することができないことによって、防犯装置１０を巻き戻すことができないことが確実になる。図６に明示するように、ラッチ部材はその主面においてわずかに湾曲した形状を有することが好ましく、その曲率は操作部材２２０の回転の中心までの径方向距離によって画定される。このようにして、舌片２３３、２３８とギヤリング２５０との間の係合点は装置の周辺に配置され、小さいギヤステップが可能になる。それによって、ケーブルが緊張状態にあるときでも、ケーブルを締め付けることが容易であり、物品をきつく固定することが容易になる。例えば図６に示すように、操作部材２２０は、ラッチ部材２３０、２３５に配置された穴２３６内に挿入されるように構成された突出ピン２２９を備え、それによってラッチ部材２３０、２３５をスナップロックにより操作部材２２０に固定する。代替として、ラッチ部材は操作部材２２０に接着するか、または操作部材２２０と一体化することができる。
【００３０】
ラチェット部材２００の第２主要部はさらに、単数または複数のケーブルを巻き上げるためのドラム２７０、および操作部材２２０をドラム２７０に接続する巻取り部２４０を備える。巻取り部２４０に配置された凹部２４２内に突出部２２８を挿入することによって、操作部材２２０を巻取り部２４０に固定するために、操作部材２２０の内面に複数の突出部２２８が設けられる。装置の巻取り部２４０にはさらに、そのエンベロープ表面の下縁に沿って溝２４５が配置される。ラチェット部材２００のグリップ部２２５を回転することによってドラム２７０を回転することができるようにするために、溝の端面は、ドラム２７０と係合するかまたはケーブル端と直接係合するように構成された係合面またはショルダ２４８をもたらすように形成される。
【００３１】
装置１０は１つ以上のケーブルを含むことができ、図示した実施形態は２つのケーブル１００、１５０を含み、それは少なくとも箱状物品には最良の操作形態である。くびれ部を有する物品の場合、１つのケーブルだけで充分であるかもしれない一方、より複雑な形状の物品は実際、３つ以上のケーブルを必要とするかもしれない。
【００３２】
ケーブル端には、図面に示すように幅が広くなったヘッド部を設けることが好ましい。ドラム２７０で、各ケーブル端は、端をステーブル（ｓｔａｂｌｅ）２７５に固定することによって固定位置に配置される。ケーブル１００、１５０をドラム２７０に固定するステーブル２７５を巻取り部２４０のショルダ２４８と係合することができるようにするために、巻取り部２４０は少なくとも部分的にドラム２７０内に埋没するように配置される。本発明の実施形態では、ドラムは複数の鍵穴型スロット２７７を備え、防犯装置１０を組み立てるときに、ケーブル１００、１５０の端部をスロットの略円形部分から挿入し、次いでステーブル２７５内に折り曲げることができる。図示する実施形態のケーブルは輪にされ、両端がドラム２７０に固定されていることに注目されたい。さらに詳しくは、ケーブルはドラム２７０から出て、支持部材３００を介してドラムに戻り、ケーブルの両端はドラムに固定される。しかし、言うまでもなく、代替的選択肢として、１つのケーブルをラチェット部材２００から支持部材に送って、次いで別のケーブルを支持部材３００からラチェット部材２００に戻すことが可能である。しかし、これは本発明に関係しない。防犯装置１０を締め付けるときに、ドラム２７０は巻取り部２４０によって回転され、ケーブルが上記ドラム２７０の筒状周面２７８に沿って巻き取られる。
【００３３】
図示した実施形態では、ケーブル１００、１５０の切断などが発生したときにそれを決定するために、中間アラームプレート２６０が配置される。中間アラームプレート２６０は電源回路を形成するケーブルと接触しており、電源回路が遮断されたとき、例えばケーブルの１本の切断などが発生したときに、中間アラームプレートはアラームを鳴らす。したがってケーブルはプレートに接続され、図示した実施形態では、ケーブルのいずれか１本の切断を感知するように構成されたコンデンサ２６７が示される。中間アラームプレートはドラム２７０の底に配置され、ドラムのステーブル２７５を受け入れるように構成されたスロット２６５が設けられる。
【００３４】
中間アラームプレート２６０に電力を供給するために、ドラム２７０の下に、バッテリなどのような１つ以上の電力素子が設けられる。これらの電力素子を格納するために、ドラム２７０の下側に、複数の溝およびキャビティ２７９を設けることが好ましい。電力は、例えばドラム２７０を貫通して埋め込まれた導電チャネルを介して、中間アラームプレートに供給される。本発明の実施形態では、バッテリ極板２８０をドラム２７０の下に配置することもでき、電力素子のために配置されたキャビティを閉鎖するために、閉鎖板２９０がバッテリ極板の下に配置される。閉鎖板はバッテリ極板２８０、ドラム２７０、アラームプレート２６０の中心穴を通して巻取り部２４０と確実な係合状態にねじ止めすることが好ましい。ねじ（図示せず）は、防犯装置１０が物品に掛かっていないときにだけ、取り外すためにアクセス可能である。
【００３５】
例えば図１〜３および図８に、支持部材３００を示す。支持部材３００は、（ＥＡＳ）システムなどのカラムのような中央店舗アラーム（ｃｅｎｔｒａｌ  ｓｔｏｒｅ  ａｌａｒｍ）を通過したときにアラームを始動するように構成された、電子物品監視タグのような装置を収容するハウジング部３３０を備えることが好ましい。ハウジング部３３０はさらに、ケーブルに配置された突出部１３０、１８０を介してケーブルを固定するための複数の固定要素３３５を備える。ケーブルの長さは変えることができることを理解されたい。
【００３６】
さらに、ハウジング部３３０は支持部材３００の頂部３２０によって密閉される。頂部３２０の上に、一般的にゴム、シリコンなどのようなゴム状材料の高摩擦層３１０が設けられる。層３１０は、防犯装置を物品から引き外すことがより難しくなるように、防犯装置１０が巻き付けられる物品の表面を把持するために、ハウジング部に設けられる。また、保護対象に対面するラチェット部材２００の表面、例えば閉鎖板２９０またはケーシング６００にも、同様の層を設けることができることも理解されたい。
【００３７】
ここで、本発明を明確にするために、図面を参照しながら、防犯装置の機能について説明する。盗難から保護しようとする物品の周りに、ケーブル１００、１５０が巻き付けられる。ケーブルを物品の周りに締め付けるために、ラチェット部材２００を回転する。図１に戻って参照すると、操作部材２２０に配置されたグリップ部２２５を捩じることによってラチェット部材２００が回転し、それによってラッチ部材がギヤリング２５０に沿って回転する。操作部材２２０に従って、巻取り部２４０も回転する。巻取り部２４０が回転すると、ドラム２７０も同様に回転させられ、ラチェット部材のコアが回転する。内部に固定されたケーブルを有するドラム２７０は、上記防犯装置１０のケーシング６００の開口６１０（図８の分解図のみに示す）を通してケーブル１００、１５０を引き込む。ケーブルが物品の周りに充分に締め付けられ、ゴムパッド付き支持部材３２０が上記物品にしっかりと配置されるまで、グリップ部２２５は回転される。
【００３８】
図４を参照すると、防犯装置１０の部分断面図が示されている。図示した実施形態では、ラッチ部材２３０は係合状態にある。すなわち、ラッチ部材の舌片２３３がギヤリング２５０の歯２５５と係合する。グリップ部２２５が反時計方向に回転すると、舌片２３３は傾斜歯２５５に沿って従動する。しかし、グリップ部を時計方向に回転させようとする力がグリップ部に加えられると、舌片２３３は傾斜歯の係合面、つまり垂直面に押し付けられ、グリップ部が動くことを妨げる。舌片２３３の通過を妨げる歯の面は、舌片がその方向に動くことを妨げる限り、任意の形状とすることができることを理解されたい。このようにして、ラッチ部材２３３がギヤリング２５０と係合する限り、防犯装置を物品の周りで締め付けることができる。
【００３９】
図５を参照すると、防犯装置の断面図が示され、ここで防犯装置はロック解除状態にある。すなわち、ケーブルを巻き戻して、ドラム２７０から引き出すことができ、それによって上記防犯装置１０から物品を開封することが可能になる。防犯装置をロック解除状態に配置するためには、防犯装置を磁力にさらす必要がある。この磁力は、いわゆる脱着器に配置された永久磁石によって防犯装置１０に印加される。これは、脱着器を防犯装置の上面の方向に、すなわちグリップ部２２５が設けられた操作部材２２０の表面に持っていくことによっておこなわれ、それにより磁石が操作部材２２０に接し、ラッチ部材の舌片２３３、２３８が磁石の磁力によって強制的に係合状態（図４参照）からロック解除状態（図５参照）にされる。ラッチ部材の舌片２３３は、防犯装置１０の操作部材２２０に対してロック解除状態になり、それによって防犯装置１０の回転自在部を緩む方向に、すなわち図示した実施形態では時計方向に、回転させることが可能になる。これは、脱着器または物品のいずれかを回転させることによって、物品の周りのケーブルが緩められることを意味する。
【００４０】
操作部材２２０は、そのグリップ部を防犯ボックス用の既存の脱着器の凹部に嵌合させるように形成することが好ましい。操作部材２２０は、脱着器の磁力がラッチ部材２３０、２３５を水平配置にすることができるように、充分に薄くしなければならないことに留意されたい。発明の実施形態では、突出縁２３３、２３８をわずかに垂直方向に移動させ、必ずしもラッチ要素を完全な水平配置にするのではなく、舌片２３３、２３８をギヤリング２５０の歯２５５から取り外すのに充分なだけ水平配置にする。ラッチ部材は、既存の脱着器と嵌合するために、ラッチ部材の中心間距離で径方向に４０ｍｍ〜６０ｍｍの距離だけ離して配置する必要がある。
【００４１】
図６および７は、取り付けられた状態のラッチ部材２３０、２３５を図３の線Ａ−Ａおよび線Ｃ−Ｃに沿って示す。ラッチ部材は、万能脱着器を用いて防犯装置１０をロック解除するために、ギヤリング２５０の直径のみならず、既存の脱着器における磁石の配置にも対応する径方向距離に、相互に対向して配置される。ラッチ部材の数は増やすことができることを理解されたい。
【００４２】
図８は、図１には含まれないケーシング６００に関して、図１に示したものとは異なる防犯装置１０の分解図を開示する。防犯装置１０では、ケーブル１００、１５０を巻き取るために、ラチェット部材のコアが回転自在である。しかし、ギヤリング２５０およびケーシング６００は回転できず、ケーブルを締め付けたり緩めることが可能になる。ケーシング６００には、ラチェット部材２００の様々な部分を受け入れるように構成された複数の溝６２０が設けられる。ラチェット２００の回転自在の第２主要部はこれらの溝の上に置かれ、ギヤリング２５０はケーシングに固定され、内部巻取り機構がケーブル１００、１５０をラチェット部材２００のハウジング部２７０内に巻き取ることが可能になる。
【００４３】
ギヤリング２５０は、ギヤリング２５０に配置された凹部および上記凹部にスナップロックするためにケーシング６００に配置された対応する突出ピンのような、スナップロックを使用することによって、ケーシング６００に固定することができる。ケーシング６００は、一実施形態では、例えば超音波溶接などを用いて一体に溶接することができる。ギヤリング２５０もまた、例えばそれを外側リング２１０に接着することによって該リングに固定することができ、ケーシング６００は、それを外側リング２１０に接着することによって該リングに固定することもできる。しかし、別の実施形態では、ギヤリング２５０はケーシング６００に接着され、外側リング２１０もケーシング６００に接着または超音波溶接される。また、ケーシング６００はオプショナルであり、ケーシングの無い実施形態では、ギヤリング２５０は、ドラム２７０が剥き出しのまま、外側リング２１０に固定されることも理解されたい。
【００４４】
次に、本発明の実施形態のアセンブリについて、図１、２、および８を参照しながら説明する。アラームプレート２６０はドラム２７０内に埋設される。ケーブルは、最初にケーシング６００の開口６１０を介して挿入され、次いでドラム２７０のスロット２７７を介してさらに挿入される。ヘッド付き端部は最初に円形部分を介して垂直方向に挿入され、次いでステーブル２７５内へ摺動される。ケーブル１００、１５０の端部は次いで、ドラムのステーブル２７５内に固定される。ケーブルは、ステーブル２７５を介してアラームプレートと接触するか、またはアラームプレート２６０に単に当接配置することができる。次いでバッテリが、例えばスナップフィットロックまたはねじ止め構成によってドラム２７０に固定されたバッテリ極板２８０に配置することによって、ドラム２７０に設けられる。アラームプレート２６０を有するドラム２７０、およびケーブル１００、１５０、ならびにバッテリ極板２９０から成るアセンブリは、ケーシング６００内に埋設され、閉鎖板２９０をバッテリ極板２８０にねじ止めすることによって、ケーシング内に固定される。次いで、ギヤリング２５０は、スナップフィットロックなどによってケーシング６００に固定される。
【００４５】
ラッチ部材２３０、２３５は、例えばねじ止めまたはスナップフィットなどによって操作部材２２０に固定され、巻取り部２４０も操作手段に固定される。ラッチ部材２３０、２３５および巻取り部２４０が配置された操作部材２２０は次いで、巻取り部の溝をドラム２７０のステーブル２７５と一致させるように位置合わせされたアラームプレートの上で、ドラム内に埋設される。一致が行なわれると、対応する要素２７５、２５０を係合するために、巻取り部２４０およびラッチ部材２３０、２３５を適切な位置に収容するように、外側リング２１０が防犯装置１０に供給される。次いで外側リングは、好ましくはそれらを一体に溶接することによって、ケーシング６００に固定される。ここで、防犯装置がそのアラームを鳴らした場合、その電源装置、例えばバッテリを取り外すことによってのみ、音を止めることができることに留意されたい。したがって、防犯装置は、閉鎖板２９０のねじを外すことによってのみ、音を止めることができる。
【００４６】
支持部材３００は、ケーブルの突出部１３０、１８０をハウジング部３３０に配置されたステーブル３３５などにスナップフィットさせ、ハウジング部３３０にＥＡＳタグを配置することによって組み立てられる。ハウジング部は、例えばスナップロックフィット、固定要素、接着、溶接などによってハウジング部に固定される、頂部３２０によって閉鎖される。ハウジング部３３０および頂部は、本発明の実施形態では、ケーブル１００、１５０と嵌合するように配置された凹部を周面に有する。図示した支持部材３００は六角形であるが、円形、矩形などのような任意の適切な形にすることができる。また、ＥＡＳタグをラチェット部材２００内に収容することができることも理解されたい。
【００４７】
最後に、ケーブル１００、１５０がハウジング部３３０に固定され、ハウジング部が頂部３２０によって密閉されるときに、ゴム状層３１０を頂部３２０に接着するか、溶接するなどによって、ゴム状層３１０が頂部３２０に設けられる。これは別個のプロセスによっておこなうこともでき、それによって頂部３２０およびゴム状層３１０はハウジング部に固定される前に組み立てられる。
【００４８】
図９および図１０は、防犯装置をロック解除するためのツール、いわゆる脱着器を概略的に示す。図９で、脱着器９０は、プラスチックフレームのような支持構造９１を含むように図示される。支持構造は、図示する好適な実施形態では細長いインターフェースを画定する。しかし、それは、たとえ図面にそのように図示されていても、支持構造自体を細長くする必要があることを意味するものではない。インターフェースは、操作部２２０のグリップ部２２５を受容するための中央凹部９２を含む。さらに、１対の強力な永久磁石９３および９４がそれぞれ、凹部９２の両側に固定される。
【００４９】
図１０に、本発明の実施形態に係る防犯装置１０に適用された脱着器９０の略図を開示する。凹部９２は、好ましくは１つの向きまたは２つの正反対の向きにだけ、グリップ部２２５を収容するように形作られる。脱着器９０をグリップ部２２５上に配置することによって、磁石９３、９４は自動的にラッチ部材２３０、２３５上に位置合わせされ、それによって該ラッチ部材は磁石によって吸着され、ギヤリング２５０から取り外される。防犯装置の第２主要部はそれによって第１主要部から回転自在になり、ケーブル１００および１５０を防犯装置１０から引き出すことができる。そして、脱着器９０は操作部２２０に沿って回転し、磁力によって、おそらく凹部９２のグリップ部２２５のとまり嵌めによっても、取り付けられた状態に保たれる。異なる角度や異なる径方向距離に配置された３つ以上のラッチ部材及び磁石を備えることにより、防犯のさらなる向上を実現することができる。
【符号の説明】
【００５０】
１０…防犯装置
１００…保持部材
１５０…保持部材
２００…ラチェット部材
２２０…操作手段
２３０…ラッチ部材
２３５…ラッチ部材
２５０…ギヤリング
２７０…ドラム
３００…支持部材
３１０…ゴム状材料の層
【図１】
2009541614.tif 000003
【図２】
2009541614.tif 000004
【図３】
2009541614.tif 000005
【図５】
2009541614.tif 000006
【図６】
2009541614.tif 000007
【図７】
2009541614.tif 000008
【図８】
2009541614.tif 000009
【図９】
2009541614.tif 000010
【図１０】
2009541614.tif 000011
【図４】
2009541614.tif 000012
【手続補正書】
【提出日】平成20年4月22日(2008.4.22)
【手続補正１】
【補正対象書類名】特許請求の範囲
【補正対象項目名】全文
【補正方法】変更
【補正の内容】
【特許請求の範囲】
【請求項１】
ケーブル（１００、１５０）を含み、可調整ループを形成する保持部材と、
前記ケーブル（１００、１５０）に接続され、前記ループを狭める動作及び前記ループの拡張を抑える動作が可能なラチェット部材（２００）とを備え、
前記ラチェット部材（２００）が、
第１平面内に延在すると共に前記第１平面から隆起する鋸歯状プロファイルを有するギヤリング（２５０）を備える第１主要部と、
前記第１主要部に対して回転自在であり、前記第１平面側に付勢され前記ギヤリング（２５０）と係合するラッチ部材（２３０、２３５）と、前記ケーブル（１００、１５０）を巻き上げるドラム（２７０）とを含む第２主要部と
を含み、
前記第２主要部が、前記第１平面側に付勢されて前記ギヤリング（２５０）と係合すると共に前記ギヤリング（２５０）から個別に取り外し可能な２つのラッチ部材（２３０、２３５）を備えることを特徴とする、防犯装置（１０）。
【請求項２】
前記第２主要部が、前記第１平面と平行な第２平面内において離間配置された２つのラッチ部材（２３０、２３５）を備える、請求項１に記載の防犯装置。
【請求項３】
前記第２主要部が、前記ギヤリング（２５０）の上側で径方向に離間配置された２つのラッチ部材（２３０、２３５）を備える、請求項１に記載の防犯装置。
【請求項４】
前記ラッチ部材（２３０、２３５）が、前記第１平面と垂直な方向における前記ラッチ部材（２３０、２３５）の磁気吸着によって、前記ギヤリング（２５０）から取り外せるように構成されている、請求項１に記載の防犯装置。
【請求項５】
前記第２主要部に接続されており、前記ギヤリング（２５０）に対面し前記ラッチ部材（２３０、２３５）を担持する内面と、前記ギヤリング（２５０）から前記ラッチ部材を取り外すツール用のインターフェースを担持する外面とを有する操作手段（２２０）を備える、請求項１に記載の防犯装置。
【請求項６】
前記操作手段（２２０）が、離間する２つのラッチ部材（２３０、２３５）と、前記ツールの補助グリップ部に接続するための前記ラッチ部材（２３０、２３５）の間の中央グリップ部（２２５）とを担持する、請求項５に記載の防犯装置。
【請求項７】
前記ラッチ部材（２３０、２３５）が、そのままの状態で前記ギヤリング（２５０）に係合する先端部（２３３、２３８）を有する磁気吸着可能な板ばねを備える、請求項１に記載の防犯装置。
【請求項８】
前記ラッチ部材（２３０、２３５）が、前記第１平面と平行な第２平面内に配置された磁気吸着可能な金属シートを備え、前記シートには、前記第２平面から前記第１平面に向かって曲げられた板ばねが形成されるようにして略Ｕ字状スロットが形成されている、請求項１に記載の防犯装置。
【請求項９】
前記板ばねが、前記鋸歯状プロファイルが環状に延在しているのに従うようにして前記第２平面内において湾曲している、請求項８に記載の防犯装置。
【請求項１０】
前記保持部材が、２本のケーブル（１００、１５０）と、前記ラチェット部材（２００）から離れて前記２本のケーブルに接続される支持部材（３００）とを含む、請求項１に記載の防犯装置。
【請求項１１】
前記ケーブル（１００、１５０）が、共に前記ドラム（２７０）に接続された２つの端部の間に延びている、請求項１に記載の防犯装置。
【請求項１２】
前記保持部材が、前記ラチェット部材（２００）から離間して前記ケーブルに接続され、前記防犯装置（１０）に保持された際に物品と対向する面にゴム状材料の層（３１０）が設けられた支持部材（３００）を含む、請求項１に記載の防犯装置。
【請求項１３】
前記防犯装置（１０）に保持された際に物品と対向する前記ラチェット部材（２００）の面に、ゴム状材料の層が設けられている、請求項１に記載の防犯装置。
【請求項１４】
前記ラチェット部材（２００）が、前記ケーブルに接続され、前記ケーブルが切断されたときにアラームを鳴らすように構成されたアラーム回路（２６０）を備える、請求項１に記載の防犯装置。
【請求項１５】
電子物品監視（ＥＡＳ）タグを備える、請求項１に記載の防犯装置。
【国際調査報告】
2009541614.tif 000013
2009541614.tif 000014
2009541614.tif 000015